(57)【要約】【課題】外気温度が低いときでも支障なく使えるものとなす。【解決手段】便室１００の床面部１に便器４を設け、該床面部１の下側に屎尿を貯溜し分解させ蒸散させるための屎尿処理室８を形成するほか、外気を動力送風機２１により前記屎尿処理室８内に貯溜された屎尿ｗの表面に該表面上から供給する外気供給手段２０を形成したユニットトイレにおいて、前記外気供給手段２０で供給される外気を加熱し前記屎尿処理室８内の空気を適温に保持するものとした加熱手段２７を設けた構成となす。【選択図】図３
2005290720.tif 000002
【特許請求の範囲】
【請求項１】
便室の床面部に簡易水洗式の便器を設け、該床面部の下側に屎尿を貯溜し分解させ蒸散させるための屎尿処理室を形成するほか、外気を動力送風機により前記屎尿処理室内に貯溜された屎尿の表面に該表面上から供給する外気供給手段を形成したユニットトイレにおいて、前記外気供給手段で供給される外気を加熱し前記屎尿処理室内の空気を適温に保持するものとした加熱手段を設けたことを特徴とするユニットトイレ。
【請求項２】
便室の床面部に簡易水洗式の便器を設け、該床面部の下側に屎尿を貯溜し分解させ蒸散させるための屎尿処理室を形成したユニットトイレにおいて、前記屎尿処理室内に貯溜された屎尿が許容量以下となったときにこれを検出するセンサと、該センサの検出に関連して特定量の水を該屎尿中に自動的に補給する開閉弁とを具備した水補給手段を設けたことを特徴とするユニットトイレ。
【請求項３】
前記屎尿処理室の内方に、前記便器から落下した便尿を受け入れ貯溜し分解させ蒸散させるものとした引出式処理箱を外横方への抜き出し可能に装設したことを特徴とする請求項１又は２記載のユニットトイレ。
【請求項４】
前記引出式処理箱の真上をなす前記床面部に透孔を設けて該透孔の下側に該透孔を受入れ口としたバケット部を形成し、該バケット部はこれの使用時に内方に袋状フィルタを挿入され、また前記バケット部の不使用時には前記透孔が蓋体で閉鎖される構成であることを特徴とする請求項３記載のユニットトイレ。
【請求項５】
前記加熱手段が、外気の温度が特定温度以下になったときに外気を加温するための電気ヒータを作動させ、該電気ヒータで加温された外気を前記屎尿処理室内の屎尿の表面に供給する構成であることを特徴とする請求項１、２、３又は４記載のユニットトイレ。
【請求項６】
前記屎尿処理室内から外方へ排出される臭気にマイナスイオンを混入させてその脱臭を行うものとしたマイナスイオン脱臭手段を設けたことを特徴とする請求項１、２、３、４又は５記載のユニットトイレ。
【請求項７】
前記屎尿処理室内の臭気を外方へ排出するための排気通路の途中に該排気通路内を通過する臭気と接触してその脱臭を行う活性炭層を設けたことを特徴とする請求項１、２、３、４、５又は６記載のユニットトイレ。
【発明の詳細な説明】
【技術分野】
【０００１】
本発明は、必要な場所に仮設的或いは常設的に使用されるユニットトイレに関する。
【背景技術】
【０００２】
便室の床面部に簡易水洗式の便器を設け、該床面部の下側に屎尿処理室を形成したユニットトイレは存在している（例えば特許文献１参照）。
前記屎尿処理室の内方には、前記便器から落下する屎尿を受け入れ貯溜し分解させ蒸散させるための屎尿処理槽が固定状に形成されており、また該屎尿処理槽内の屎尿の表面に該屎尿の分解を促進させるための外気を該屎尿の上側から吹きつける手段が形成されている。
【０００３】
【特許文献１】特開平９−２６８６３２号公報
【発明の開示】
【発明が解決しようとする課題】
【０００４】
上記した在来のユニットトイレでは、屎尿処理槽内の屎尿の液分が蒸散されるため、用便使用が過度に少ないときは、屎尿処理槽内の屎尿の液状分が不足して屎尿の有効な分解が行えなくなるのであり、この後は、管理者が手作業で屎尿処理槽内に水を補給するなどの処理を行うまでその使用を制限しなければならず、これを怠ると、屎尿処理槽は短期間のうちに屎尿で満杯となってその後の使用が不可能となるのである。
【０００５】
また外気が凡そ３℃以下になると、屎尿処理槽内の屎尿の温度が低くなり過ぎて屎尿の分解処理が有効に行われなくなり、設計どおりの屎尿処理能力が得られなくなるのである。
【０００６】
さらに適正使用状態の下では、屎尿処理槽内の屎尿は有効に蒸散されるため、その汲み取りの必要がないのであるが、長期に亘って使用すると、前記屎尿処理槽内に残留物が生じるため、１年に何回かは洗浄しなければならない。
該洗浄においては、衛生上の観点などから、全体を洗浄設備の整った場所へ持ち運ぶことが必要となるのであり、また前記屎尿処理室内の奥深い個所である前記屎尿処理槽の内部を多くの手間をかけて洗浄しなければならないのであり、さらにはこのような洗浄処理をする間、そのユニットトイレは使用できないため、代わりのユニットトイレを用意しなければならない事態が生じるのである。
【０００７】
本発明は、斯かる問題点に鑑みてなされたものであり、従来よりも、屎尿の分解を手間少なく有効に行わせるほか洗浄の手間を少なくすることを可能としたユニットトイレを提供することを目的とする。
【課題を解決するための手段】
【０００８】
上記目的を達成するため、本願の第一の発明は、請求項１に記載したように、便室の床面部に簡易水洗式の便器を設け、該床面部の下側に屎尿を貯溜し分解させ蒸散させるための屎尿処理室を形成するほか、外気を動力送風機により前記屎尿処理室内に貯溜された屎尿の表面に該表面上から供給する外気供給手段を形成したユニットトイレにおいて、前記外気供給手段で供給される外気を加熱し前記屎尿処理室内の空気を適温に保持するものとした加熱手段を設けたことを特徴とするものである。
【０００９】
また第二の発明は、請求項２に記載したように、前記屎尿処理室内に貯溜された屎尿が許容量以下となったときにこれを検出するセンサと、該センサの検出に関連して特定量の水を該屎尿中に自動的に補給する開閉弁とを具備した水補給手段を設けたものである。
【００１０】
上記各発明は次のように、具体化するのである。
即ち、請求項３に記載したように、前記屎尿処理室の内方に、前記便器から落下した便尿を受け入れ貯溜し分解させ蒸散させるものとした引出式処理箱を外横方への抜き出し可能に装設した構成となす。
【００１１】
また請求項４に記載したように、前記引出式処理箱の真上をなす前記床面部に透孔を設けて該透孔の下側に該透孔を受入れ口としたバケット部を形成し、該バケット部はこれの使用時に内方に袋状フィルタを挿入され、また前記バケット部の不使用時には前記透孔が蓋体で閉鎖される構成となす。
【００１２】
また請求項５に記載したように、前記加熱手段を次のようなものとなすのであって、即ち、外気の温度が特定温度以下になったときに外気を加温するための電気ヒータを作動させ、該電気ヒータで加温された外気を前記屎尿処理室内の屎尿の表面に供給する構成となす。
【００１３】
また請求項６に記載したように、前記屎尿処理室内から外方へ排出される臭気にマイナスイオンを混入させてその脱臭を行うものとしたマイナスイオン脱臭化手段を設ける。
【００１４】
さらには請求項７に記載したように、前記屎尿処理室内の臭気を外方へ排出するための排気通路の途中に、該排気通路内を通過する臭気と接触してその脱臭を行う活性炭層を設けた構成となす。
【発明の効果】
【００１５】
上記した本発明によれば次のような効果が得られる。
即ち、請求項１記載のものによれば、外気温が低下しても、屎尿処理室内の空気が加熱手段により適温に維持されるため、屎尿処理室内の屎尿の温度が一定程度以上に低下しなくなって、該屎尿は微生物により効果的に分解されるものとなり、気温の低い場所でも本発明品に所期の能力を継続的に発揮させることができる。また加熱手段は既存の外気供給手段により供給される空気を加熱するため構造簡易に形成されると共に効果的に加温されるものとなる。
【００１６】
請求項２記載のものによれば、前記屎尿処理室内に貯溜された屎尿が許容量以下となったときに、特定量の水が該屎尿中に自動的に補給されるため、その屎尿の分解が効果的に行われるものとなり、本発明品に所期の能力を継続的に発揮させることができる。
【００１７】
請求項３記載のものによれば、引出式処理箱が長期に亘って使用されると、これの内部に汚泥が蓄積されるようになり、したがって該引出式処理箱は適当な連続使用期間が経過するごとに内部を洗浄するが、この洗浄に際しては引出式処理箱内の液分を一次的な用便使用停止により１日程度で完全に蒸発させ、この後、引出式処理箱を前記処理室から抜き出して洗浄場所まで運搬した後に洗浄するように取り扱うことができて、簡便且つ低コストな洗浄処理が行えるようになるのであり、また引出式処理箱内の液分が蒸散されるため該処理箱内に残留するものは極微量で臭気の少ない薄膜状の乾燥汚泥となり、この点でも洗浄処理の手間が軽減されるのである。
【００１８】
請求項４記載のものによれば、引出式処理箱内で濃厚となった屎尿をくみ上げてバケット部内の袋状フィルタ内に供給することで、その固形分が袋状フィルタ内に漉し取られ、その液状分が引出式処理箱内に戻されるものとなり、これにより引出式処理箱内の濃縮化が抑制されるため引出式処理箱の洗浄は例えば１年ごとに行うことで足りるようになる。
【００１９】
請求項５記載のものによれば、外気の温度が特定温度以下になったときにも、屎尿処理室内の屎尿は過度に冷やされることがなくなって、微生物による屎尿の分解を効果的に行わせることができるものとなり、本発明品に所期の能力を継続的に発揮させることができる。
【００２０】
請求項６記載のものによれば、屎尿処理室内から外方へ排出される臭気にマイナスイオンが混入されてその脱臭が行われるものとなり、本発明品の周囲環境を良好となすことができる。
【００２１】
請求項７記載のものによれば、排気通路内を通過する臭気が活性炭層により脱臭されるものとなり、本発明品の周囲環境を良好となすことができる。
【発明を実施するための最良の形態】
【００２２】
次に本発明に係るユニットトイレの実施形態について説明する。
図１は前記ユニットトイレを斜め前方から見たもので便室を透視した状態を示す図、図２は前記ユニットトイレを斜め後方から見たもので便室を透視した状態を示す図、図３は前記ユニットトイレの側面視断面図、図４は前記ユニットトイレの後面視断面図、図５は前記ユニットトイレの側面視説明図、図６は前記ユニットトイレの下部の平面視断面図、図７は前記ユニットトイレの屎尿センサ周辺を示す図、図８は前記ユニットトイレの排気筒の一部を示す断面図である。
図１及び図２に示すように、本発明のユニットトイレは便室１００と台部１０１とを備えたものとなされている。
【００２３】
便室１００は床面部１、左右側面部２ａ、２ｂ、前面部２ｃ、後面部２ｄ及び頂面部３を板部材で包囲されていて、前面部２ｃの大部分を開閉可能な出入り用の扉体２ｃ１で形成されており、床面部１には便器用開口１ａが形成されていて該開口１ａの内方に簡易水洗式の便器４が嵌挿状に装着されている。この際、便器４は図３などに示すように上部枠部４ａ、後部半円部４ｂ及び便尿落下筒部４ｃからなっており、また屎尿落下筒部４ｃの下端開口には上向きの気体流動を阻止するための逆止弁体４ｄが装着されている。
【００２４】
一方、台部１０１は、下面部５、左右側面部６ａ、６ｂ、前面部６ｃ及び後面部６ｄを具備し頂面部を前記便室１００の一部をなす床面部１で覆われた第一方形箱体部１０１ａと、これの前側に位置されていて前記下面部５の延長部５ａ、前記左右側面部６ａ、６ｂの延長部６ａ１、６ｂ１、前記後面部６ｄで形成された前面部、後面部７ａ及び頂面部７ｂを具備し該頂面部７ｂを前記床面部１よりも一段高くなされている第二方形箱体部１０１ｂとからなっている。この際、第一方形箱体部１０１ａの内方は密閉状の屎尿処理室８となされており、第二方形箱体部１０１ｂは図３及び図４に示すように、これの左半分範囲ｄ１において第一方形箱体部１０１ａの後面板６ｄと後面板７ａとの間に、下側水平仕切板７ｃ及び上側水平仕切板７ｄを橋渡し状に固着すると共に、下側水平仕切板７ｃ及び上側水平仕切板７ｄの各右端縁と頂面部を結合した垂直仕切板７ｅを固着し、下側水平仕切板７ｃと上側水平仕切板７ｄとの間を下側密閉空間９ａに、そして上側仕切板７ｄと頂面板７ｂとの間を上側密閉空間９ｂとなされている。
【００２５】
図３及び図５に示すように、屎尿処理室８の内方には引出式処理箱１０が配設されており、該引出式処理箱１０は、上面が開放された方形箱体を主体としていて、内方に前記屎尿落下筒部４ｃから落下する屎尿を受け入れて貯溜するものとなされている。図６に示すように引出式処理箱１０の内方の四隅には、屎尿の流動を円滑となし且つ隅角部の水洗浄を容易となすため、各隅角部に円弧状板部材１１を液密状に固着して円弧状板部材１１の外方へ屎尿が流出しないようにしている。
【００２６】
図３〜図６に示すように、引出式処理箱１０は内方底面１０ａに固定片を介して位置決めされた空気噴出手段１２、内方底面１０ａの下面に密着させて固定された板状の電気ヒーター１３とを備えている。空気噴出手段１２は次のようになされているのであり、即ち、例えば長さ２００ｍｍで外径３０ｍｍ程度の通気性多孔質ポリプロピレン材からなる筒体となされたディフューザ１２ａを４つ形成し、これらディフューザ１２ａを内方底面１０ａにおける平面視での中心を概略対称点として、水平状に且つ周壁面１０ｂに対して凡そ３５度〜４５度程度の傾斜角θとなるように固定し、各ディフューザ１２ａの先端を閉鎖すると共にその基端開口に塩化ビニール材からなる空気水平入口管１２ｂを接続し、該空気水平入口管１２ｂから連通状に起立させた空気起立入口管１２ｃの始端に、空気供給ホース１４を離脱可能に接続するための結合部材ａ１を固定されたものとなされている。そして、ヒーター１３は引出式処理箱１０の内方の屎尿を凡そ２７℃〜３０℃に加熱するものとなされており、その特定個所からヒータ電力供給線１３ａが延出されていて、これの先端に電源側電力供給線１５と離脱可能に接続させるための接続具ａ２が取り付けられている。引出式処理箱１０の周壁面１０ｂ、１０ｂをなす左右各側面部の外面特定高さ個所には前後一対の輪体１６、１６が装着されている。
【００２７】
図３及び図５に示すように、第一方形箱体部１０１ａの左右側面部６ａ、６ｂの内面個所の特定高さ位置には左右一対からなる前後向き水平状の軌道板部材１７、１７が内方への張り出し状に固着されており、これら一対の軌道板部材１７、１７に４つの前記輪体１６を支持させ、引出式処理箱１０に前後方向ｆ１の操作力を付与することで引出式処理箱１０が輪体１６を介して軌道板部材１７に支持され比較的軽く前後移動するようになされている。
【００２８】
第一方形箱体部１０１ａの前面部６ｃには軌道板部材１７、１７により特定高さに支持された引出式処理箱１０が前方外へ移動し通過することのできるものとなされた開閉口ｂ１が形成されており、該開閉口ｂ１は前面部６ｃに設けられた方形状の開口ｂ１１と、該開口ｂ１１を略気密状に覆うものとした蓋体ｂ１２とからなっている。そして、第一方形箱体部１０１ａの後面部６ｄには図４に示すように引出式処理箱１０の高さに対応させて上下二列配置に多数の円形通気孔ｃ１が形成されている。
【００２９】
図１〜図３に示すように、前記床面部１の略後半部上には高床部１８が床面部１上に段重ね状且つ取り外し可能に固定されており、該高床部１８は前記頂面部７ｂと同一高さとなされた上面部１８ａ、左右側面部１８ｂ、１８ｃ及び前面部１８ｄを備えると共に後面部を第一方形箱体部１０１ａの後面部６ｄを上方へ延長させた延長部６ｄ１で形成されるほか、便器４の側周囲を取り巻く態様の平面視欠楕円形ｃ２の切除個所を有すると共に内方側に該切除個所ｃ２近傍の左右側となる前後方向個所に沿わせて気密用且つ補強用の起立壁部１８ｅ、１８ｅを付加したものとなされており、左右各起立壁部１８ｅ、１８ｅ、前記床面部１、上面部１８ａ、左右側面部１８ｂ、１８ｃ、前面部１８ｄ、後面部６ｄ１及び、便器４の側周面で包囲された個所は気密空間１９ａ、１９ｂ、１９ｃとなされている。この際、気密空間１９ａ、１９ｂは独立した空間となされ、気密空間１９ｃは屎尿処理室８と連通していて差し支えない。
【００３０】
そして図３に示すように、気密空間１９ａの前面部１８ｄの適当個所に便室１００内の空気を気密空間１９ａ内に流入させるための多数の通気孔ｃ３が形成され、また気密空間１９ａの後面部をなす第一方形箱体部１０１ａの後面部６ｄの延長部６ｄ１の左半分範囲の適当個所に気密空間１９ａ内の空気をさらに後方へ流動させるための多数の通気孔ｃ４が形成されている。
【００３１】
前記下側密閉空間９ａ内には、その前面部をなす前記後面部６ｄに固定された支持台を介して外気供給手段２０の一部をなす動力送風機としてのシロッコファン２１が固定され、また図４に示すように右側面部をなす前記垂直仕切板７ｅ個所にはマイナスイオン脱臭手段２２の一部をなすモータ駆動軸流ファン２３が固定されており、さらに前記上側密閉空間９ｂ内の上側水平仕切板７ｄの上面には前記空気噴出手段１２に外気を昇圧して供給するブロアー２４が固定されている。
【００３２】
外気供給手段２０を図３〜図５を参照して詳説すると次のとおりであり、即ち、前記シロッコファン２１を具備するほかに、外気を下側密閉空間９ａ内に流入させるために下側密閉空間９ａの後面側を覆った後面部７ａ個所に形成された外気流入口部ｃ５ａ、上側水平仕切板７ｄに形成された通気孔ｃ５ｂ、下側密閉空間９ａの前面側を覆った後面部６ｄの前表面から引出式処理箱１０の上方へ張り出し状に装着されていて後面部６ｄに形成された透孔を通じてシロッコファン２１から外気を供給されるダクト２５とを具備し、シロッコファン２１が便室１００内の外気を通気孔ｃ３、通気孔ｃ４及び通気孔ｃ５ｂを通じて下側密閉空間９ａ内に流入させるほか、外気流入口部ｃ５ａを通じて外気を下側密閉空間９ａ内に流入させ、こうして流入させた外気をファン空気吸引部２１ａから吸引してダクト２５内に流動させ、さらにダクト２５の先端部に形成された外気流出孔ｃ６から引出式処理箱１０内に貯溜された屎尿ｗの表面にこれの上方から供給するものとなされている。
【００３３】
この際、ダクト２５は空気を前方へ案内する四角筒状のものとなされてあって前端を板部材で側面視三角状に閉鎖されており、下面部の前部と下側傾斜面部２５ａのそれぞれに多数の前記通気孔ｃ６を形成されている。
【００３４】
図４などに示すマイナスイオン脱臭化手段２２は次のようになされているのであり、即ち、前記モータ駆動軸流ファン２３のほかに、該モータ駆動軸流ファン２３の中心固定部から垂直仕切板７ｅに形成された通気口ｃ７を通じて右側ｆ２へ張出状に装着されたマイナスイオン発生器２６を備えており、モータ駆動軸流ファン２３が外気流入口部ｃ５ａを通じて外気を下側密閉空間９ａ内に流入させると共に便室１００内の外気をも通気孔ｃ３、通気孔ｃ４及び通気孔ｃ５ｂを通じて下側密閉空間９ａ内に流入させ、このように流入させた外気を吸引して第二方形箱体１０１ｂ内の右半分範囲ｄ２の内方に流動させ、このように流動させた外気をマイナスイオン発生器２６でマイナスイオンとなし、これを第二方形箱体１０１ｂの右半分範囲内に流入している臭気と混入させて該臭気の脱臭を行うものとなされている。
【００３５】
図３及び図４などに示すように、前記ブロアー２４は通気孔ｃ３及び通気孔ｃ４を通じて便室１００内の外気を吸引し空気吐出部２４ａから比較的圧力の高い外気をホース１４を介して空気噴出手段１２に供給するものとなされており、この際、ホース１４は空気吐出部２４ａから延出させて上側水平仕切板７ｄ及び後面部６ｄのそれそれに形成された挿通孔を通じて屎尿処理室８内の上部に引き込まれ、先端を空気噴出手段１２の結合部材ａ１に分離可能に接続されるものとなされている。
【００３６】
既述の構造において前記外気供給手段２０によって屎尿処理室８内に外気が供給されると、屎尿処理室８内の空気が過度に温度低下することが生じるのであり、これを回避するために加熱手段２７が図３及び図５に示すように設けられている。該加熱手段２７はダクト２５の内方に装着された二枚からなる板状の電気ヒータ２８、２８と、下側密閉空間９ａ内に設置された温度センサ２９とを備え、該温度センサ２９の検出した外気温度に基づいて電気ヒータ２８、２８を作動させ、ダクト２５から吹き出される外気を例えば凡そ１０℃〜１３℃以上になすものとなされている。この際、二枚の電気ヒータ２８、２８はダクト２５内において傾斜状の平行配置となるように固定するのであり、これによりダクト２５内を流動する外気が電気ヒータ２８、２８と効果的に接し効率的に加熱される。
【００３７】
また便器４の使用に際し該便器４に流される水を供給するための水供給手段３０が図５に示すように形成されており、該水供給手段３０は水源接続元部３１と便器４の水供給部とを結合した水供給管３２を設けると共に該水供給管３２の途中に足踏み式の開閉弁３３を介設したものとなされている。水源接続元部３１には水道管を接続するか、或いは独立タンクを近傍に設置して該タンク内の水を動力ポンプで送給するようにしてもよい。
【００３８】
また引出式処理箱１０内の屎尿ｗの量が許容量以下となったときに、引出式処理箱１０内に特定量の水を自動的に供給するための水補給手段３０ａが設けられており、該水補給手段３０ａは引出式処理箱１０内の屎尿ｗの量を検出するための屎尿センサ３４と、該屎尿センサ３４の検出信号に基づいて開閉作動される電磁開閉弁３５ａと、補給水管３５ｂを備え、屎尿ｗが許容量以下になっていることを検出した状態でのみ屎尿センサ３４が電磁開閉弁３５を開状態となすものとなされている。
【００３９】
屎尿センサ３４は図７などに示すように本体部３４ａと、これの下面から垂下された一対の棒状電極３４ｂ、３４ｃ及び一本の棒状温度センサ３４ｄとを備えており、これの設置位置は適当に決定して差し支えないが、この実施例では、一対の棒状電極３４ｂ、３４ｃ及び一本の棒状温度センサ３４ｄを引出式処理箱１０の一つの隅角部とこれに対応した円弧状板部材１１とで囲まれた空間ｅ内に位置させ、本体部３４ａを引出式処理箱１０の一つの隅角部の上面に固定された水平支持板３６を介して固定するほか、該屎尿センサ３４に対応した円弧状板部材１１の下縁に引出式処理箱１０内から空間ｅ内へ液分のみが進入できる程度の隙間を形成している。
【００４０】
この際、一対の棒状電極３４ｂ、３４ｃは長さを特定距離（例えば５０ｍｍ程度）だけ相違させており、双方の棒状電極３４ｂ、３４の下端が屎尿ｗ内に浸っているときは一対の棒状電極３４ｂ、３４ｃ間に電流が流れて屎尿ｗが許容量以上存在していることを示す信号を発して電磁開閉弁３５を閉鎖状態となし、逆に一対の棒状電極３４ｂ、３４ｃのうち一方のもののみが屎尿に浸っているとき、或いは双方の棒状電極３４ｂ、３４ｃが屎尿ｗに浸っていないときは一対の棒状電極３４ｂ、３４ｃ間に電流が流れないために屎尿ｗが許容量以下になっていることを示す信号を発して電磁開閉弁３５を開放状態となすようになされている。そして、一対の棒状電極３４ｂ、３４ｃは２ｃｍ〜３ｃｍ程度離間させるのが屎尿に対して的確に作動するものとなる。
棒状温度センサ３４ｄは屎尿ｗの温度を検出するものであり、屎尿ｗの温度が例えば２７℃以下になったとき電気ヒーター１３への通電を開始させ、また屎尿ｗが例えば３０℃に達したとき電気ヒーター１３への通電を停止させるようになされている。
【００４１】
図４に示すように、第二方形箱体１０１ｂ内の垂直仕切板７ｅの右側表面からは殺菌器３７が突設されており、また第二方形箱体１０１ｂの後面部７ａ右上部からは第二方形箱体１０１ｂの右半分範囲ｄ２内の空気などを外方へ流出させる排気通路をなすものとした排気筒３８が上方へ向け延出されている。
【００４２】
排気筒３８の長さ途中には、図８に示すように、これの内方を通過する臭気と接触してその脱臭を行う活性炭層３９が設けてある。該活性炭層３９は次のように形成されているのであり、即ち、排気筒３８の長さ途中を外筒部４０ａと内筒部４０ｂからなる二重管構造部４０となして内筒部４０ｂの長さ方向適当間隔位置に内筒部４０ｂの内径よりも小さい透孔ｃ８を形成された円形板からなる流れ制限板４１の複数（図示例では３つ）を設けると共に、内筒部４０ｂの周面に多数の透孔ｃ９を形成して、外筒部４０ａと内筒部４０ｂとの間に粒状活性炭３９ａを充填した状態となす。これにより、臭気は流れ制限板４１の作用により多数の粒状活性炭３９ａの隙間間に流れ込むようになり、多数の粒状活性炭３９ａは臭気に効果的に接触して脱臭するものとなる。
【００４３】
図１、図２及び図３に示すように、第二方形箱体１０１ｂの後面部７ａには電源箱４２が設けてあり、該電源箱４２からはブロワー２４、シロッコファン２１、電気ヒータ１３、モータ駆動軸流ファン２３、電気ヒータ２８などに電力を供給するための前記電源側電力供給線１５が延出させてある。
さらに、便室１００内の床面部１で引出式処理箱１０の真上をなす個所には常時は蓋体４３ａで密封される透孔４３が形成してあり、該透孔４３の下側に該透孔４３を受入れ口としたバケット部４４が取り外し可能に装着されている。
【００４４】
次に上記した本発明品の使用例及び作用などについて説明する。
工事現場などの必要場所に本発明品をトラックなどで運搬して定置させる。そして電源箱４２に商用電源から電力を供給できるようにするほか、水源接続元部３１に水道管などの水源を接続する。
【００４５】
本発明品の使用者は便室１００の前面部２ｃに臨み、扉体２ｃ１を開閉して便室１００内に入り便器４内を使用して排泄する。排泄が終了したとき、使用者は便器４内の屎尿ｗを流すために開閉弁３３踏み込むのであり、これにより屎尿ｗは凡そ２００ｃｃ程度の水洗水と共に便器４の屎尿落下筒部４ｃからこれの下端に付設されている逆止弁体４ｄを押し開いて引出式処理箱１０内に落下する。このような使用が多数人により行われると、引出式処理箱１０内に屎尿ｗなどが溜まっていって空気噴出手段１２が屎尿ｗなどで覆われた状態になる。この状態で、ブロワー２４が自動的に作動を開始されるか或いは、手動操作により作動を開始される。
【００４６】
ブロワー２４が作動を開始されると、便室１００内の外気などが空気噴出手段１２に供給されて、多数の微細な透孔から勢いよく噴出され、この噴出された空気が引出式処理箱１０内に溜まった屎尿ｗなどを激しく攪拌すると共に酸素を屎尿ｗ中の好気性微生物に供給する。そして一方ではシロッコファン２１の作動によりダクト２５を通じて便室１００内の外気などが引出式処理箱１０内に溜まった屎尿ｗなどの表面全体に上方側から連続的に吹きかけられると共に、屎尿ｗの温度が２７℃になったときに棒状温度センサ３４ｄがこれを検出して電気ヒーター１３へ通電を開始し、屎尿ｗの温度が３０℃に達したときに棒状温度センサ３４ｄがこれを検出して電気ヒーター１３への通電を停止させるのであり、これにより引出式処理箱１０内の屎尿ｗなどは凡そ２７℃〜３０℃の範囲内に加熱されるのであり、これにより、屎尿ｗ中の好気性微生物は充分に酸素を供給されてその活動を活性化されるため、屎尿ｗなどは好気性微生物により迅速に分解され、また電気ヒーター１３の熱で効果的に蒸散されるのである。
【００４７】
この際、屎尿ｗなどの蒸散量は例えば一日に凡そ４０リットル〜５０リットル程度となるのであり、したがって大人が凡そ４０回程度使用しても、引出式処理箱１０内の屎尿ｗなどの量は増加しないのであり、したがってこの程度の使用量であれば引出式処理箱１０内の屎尿ｗの汲み取りは必要ないのである。
【００４８】
このような使用が長期に亘って行われると、引出式処理箱１０内の屎尿ｗは漸次に固形分が増して濃厚となっていくのである。これに対処するため、通常では２〜４ヶ月の使用ごとに例えば次のような屎尿ｗの漉し取り処理を行うのであり、即ち、床面部１の蓋体４３ａを取り外すと共にバケット部４４の内方に袋状フィルタ（市販品でよい）を展開状に挿入した後、別途に用意したインペラ式の汲上げポンプで引出式処理箱１０内の屎尿ｗを床面部１上に汲み上げつつ、透孔４３を通じて前記袋状フィルタの内方に落下させる。これにより、引出式処理箱１０内の屎尿ｗの固形分は前記袋状フィルタの内方に漉し出され、その液状分がバケット部４４の周壁面を透過して引出式処理箱１０の内方に落下されるのであり、したがって漉し取り処理の後には引出式処理箱１０内の屎尿ｗは固形分の含有率が低くくなって流動性に優れた状態となる。漉し取り処理後の前記袋状フィルタはこれの内方に溜まった前記固形分と一緒に廃棄するのであり、透孔４３は蓋体４３ａで閉鎖する。
そして引出式処理箱１０は１年間程度使用するごとに、内部を水洗浄してその残留物を除去するのである。
【００４９】
引出式処理箱１０の洗浄に際しては、本実施例品の使用を一時的に停止し、引出式処理箱１０内の液状分を完全に蒸散させるのであり、これにより引出式処理箱１０内には内方底面１０ａに薄膜状の乾燥汚泥が付着した状態となり、この乾燥汚泥は殆ど重量はなく嵩高も極微量である。
【００５０】
この処理の後、作業者は電源箱４２への電力供給を遮断し、次に第一方形箱体１０１ａの前面部６ｃの開閉口ｂ１の扉体ｂ１２を取り外して、引出式処理箱１０の前端個所に手を掛けて引き出し力を付与するのであり、これにより引出式処理箱１０は輪体１６及び軌道板部材１７に支持案内されて円滑に水平前方へ引き出される。この引き出し量が特定大きさとなったとき、ホース１４の先端部を結合部材ａ１から離脱させると共に電気ヒーター１３から延出されたヒーター電力供給線１３ａを接続具ａ２から離脱させる。次に作業者は引出式処理箱１０をさらに水平前方へ引き出して屎尿処理室８内から外方へ抜き出す。そして、抜き出された引出式処理箱１０の代わりに、予め用意されている綺麗な状態の別の引出式処理箱１０をこれの取り出し時の逆順操作で屎尿処理室８内に装着する。この後、電源箱４２への電力供給を再開し使用可能状態に復帰させる。
【００５１】
一方、屎尿処理室８内から抜き出された引出式処理箱１０はトラックなどで特定の洗浄場所に運搬し、ここで引出式処理箱１０の内方に付着した乾燥汚泥などを水で洗浄する。この際、トラックによる引出式処理箱１０の運搬では、引出式処理箱１０が小型軽量となるものであり、また引出式処理箱１０内の汚泥が乾燥していてその量が微少であるため、運搬に要する手間は少なくて済むと共に屎尿処理に係る法的規制を受けることがなくて取扱いが容易であり、また引出式処理箱１０の洗浄では、引出式処理箱１０の上面が開放されているためその内方を困難なく洗浄することができるのである。こうして洗浄された引出式処理箱１０は次の使用に備えて保管される。
【００５２】
本実施例では、ブロアー２４から送り出された外気が空気噴出手段１２まで送られ、４つのディフューザ１２ａの多孔質壁面から全周囲の放射状に噴出される。この際、各ディフューザ１２ａが引出式処理箱１０の周壁面１０ｂに対し平面視で傾斜しており且つ空気を全周囲の放射状に噴出するため、引出式処理箱１０内でディフューザ１２ａよりも高く貯溜された屎尿ｗなどが回り流動されて極めて活発に攪拌されるのであり、したがって屎尿ｗ中の好気性微生物は比較的少ない外気供給により充分に酸素を供給されてその活動を活性化され、屎尿ｗを迅速に分解する。
なお、各ディフューザ１２ａの前記傾斜角θをゼロにしたときには引出式処理箱１０内の液の攪拌作用は大幅に減少することが発明者による実験で確認されている。
【００５３】
シロッコファン２１に吸引される外気は、通気孔ｃ３及び通気孔ｃ４を通じて上側密閉空間９ｂ内に流入し、次に通気孔ｃ５ｂを通じて下側密閉空間９ａ内に流入するため、ブロアー２４は流入する外気で冷却されるものとなり、シロッコファン２１で屎尿処理室８内に送られる外気はブロアー２４の発する熱で加温されるものとなる。この際、加温された外気は屎尿処理室８内を温めて屎尿ｗの微生物による分解処理を促進させる。
【００５４】
シロッコファン２１やブロアー２４で屎尿処理室８内に外気が供給されると、屎尿処理室８内の空気（臭気）は押されて後面部６ｄの円形通気孔ｃ１を通じて第二方形箱体１０１ｂの下部範囲内及び右半分範囲ｄ２内に流入し、図４に矢印ｆ３で示すように流動する。一方では、モータ駆動軸流ファン２３が作動して外気を外気流入口部ｃ５ａなどを通じて下側密閉空間９ａ内に流入させ、通気口ｃ７を通じて第二方形箱体１０１ｂの右半分範囲ｄ２の内方に流動させるのであり、このように流動される外気はマイナスイオン発生器２６でマイナスイオンとなされる。こうして生成されたマイナスイオンは第二方形箱体１０１ｂの右半分範囲ｄ２内の臭気と混合攪拌され、臭気から臭い成分を除去しつつ脱臭された空気と一緒に第二方形箱体１０１ｂの右半分範囲ｄ２内を上昇移動するのであり、このように上昇移動する空気は殺菌器３７で紫外線などを照射されて殺菌されつつ排気筒３８内に流動し、活性炭槽３９に達したとき粒状活性炭３９ａに接触して最終的な脱臭処理を受け、その後に外方へ放散される。
【００５５】
本実施例品の作動状態の下で、比較的長い期間に亘って人による排泄使用がなされないときには、引出式処理箱１０の屎尿ｗの量が許容量以下、即ち、屎尿ｗ表面から内方底面１０ａまでの深さが好気性微生物への十分な酸素供給が行えない状態、例えば５０ｍｍ以下となって使用不可状態に陥ることが生じるが、このような状態になる虞があるときは直ちに屎尿センサ３４がその状態を検出し、電磁開閉弁３５ａを開放作動させ、水補給管３５ｂを通じて引出式処理箱１０の内方に前記深さが５０ｍｍを超えるように水を補給する。そして、特定量の水補給が行われて屎尿ｗの前記深さが５０ｍｍを特定長さだけ超えた状態となったとき、屎尿センサ３４がこの状態を検出し、電磁開閉弁３５ａを閉鎖作動させる。これにより、引出式処理箱１０内の屎尿ｗは前記深さが自動的に５０ｍｍ以上に保持され、好気性微生物に対する空気噴出手段１２による酸素供給は効果的に行われ、屎尿ｗの分解処理能力は高く維持されるものとなり、本実施例品が使用不可状態に陥ることは回避される。
【００５６】
また本実施例品の作動状態の下で、外気の温度が過度に（例えば３℃以下に）低下すると、ダクト２５から屎尿処理室８内に供給される外気が引出式処理箱１０内の屎尿ｗを冷却してその温度を低下させてしまい、微生物による屎尿ｗの分解処理は活発に行われない状態となるのであり、これを防止するため、本実施例では外気が３℃以下になったとき、これを温度センサ２９が検出して、電気ヒータ２８、２８への通電を開始させ、外気が１３℃に達したとき、これを温度センサ２９が検出して、電気ヒータ２８、２８への通電を停止させるのであり、したがって引出式処理箱１０内の屎尿ｗは過度に温度低下することはなくなり、外気が例えば３℃以下になるような場所でも微生物による屎尿ｗの分解が活発になされ、計画どおりの処理能力が発揮される。
【００５７】
上記実施例において、外気の温度に関連して電気ヒータ２８、２８へ通電する電力を強弱に制御するようになすことは任意である。また温度センサ２９は屎尿処理室８内に設けても差し支えない。
また便器４を和式から洋式に変更するときは、高床部１８及び便器４を取り外して、これの代わりに洋式の便器を固定させる。
【図面の簡単な説明】
【００５８】
【図１】本発明に係るユニットトイレを斜め前方から見たもので便室を透視した状態を示す図である。
【図２】前記ユニットトイレを斜め後方から見たもので便室を透視した状態を示す図である。
【図３】前記ユニットトイレの側面視断面図である。
【図４】前記ユニットトイレの後面視断面図である。
【図５】前記ユニットトイレの側面視説明図である。
【図６】前記ユニットトイレの下部の平面視断面図である。
【図７】前記ユニットトイレの屎尿センサ周辺を示す図である。
【図８】前記ユニットトイレの排気筒の一部を示す断面図である。
【符号の説明】
【００５９】
１  床面部
４  便器
８  屎尿処理室
１０  引出式処理箱
２１  動力送風機
２０  外気供給手段
２６  マイナスイオン脱臭手段
２７  加熱手段
２８  電気ヒータ
３０ａ  水補給手段
３８  排気筒（排気通路）
３９  活性炭層
４３  透孔
４３ａ  蓋体
４４  バケット部
１００  便室
ｗ  屎尿
【図１】
2005290720.tif 000003
【図２】
2005290720.tif 000004
【図３】
2005290720.tif 000005
【図４】
2005290720.tif 000006
【図５】
2005290720.tif 000007
【図６】
2005290720.tif 000008
【図７】
2005290720.tif 000009
【図８】
2005290720.tif 000010